(57)【要約】  本願発明は、長手方向側縁部及び横断方向端縁部を有する衛生ナプキン又は失禁パッドの形態の吸収物品であって、流体透過性の表面シート（８）と、流体不透過性の背面シート（９）と、表面シート（８）と背面シート（９）との間に位置する吸収コア（１０）とを備える、吸収物品に関する。吸収コア（１０）は、それを通じて延在する開口部（１２）を有する第１の吸収層（１１）と、第１の吸収層（１１）と背面シート（９）との間に位置する流体流れ制御構造（１３）と、を備える。弾性部材（１６）は、吸収物品（１）の各長手方向側縁部（２，３）に沿って配置される。第１の吸収層（１１）は、長手方向前方部分（６）と、長手方向後方部分（７）と、長手方向前方部分（６）と長手方向後方部分（７）との間に位置した横断方向移行部（１４）と、を有する。狭い横断方向移行部（１４）の幅は、第１の吸収層（１１）の前方部分（６）の最も広い横断方向の幅の５０〜７５％とされ、開口部（１２）の長手方向の長さの２０〜５０％は、第１の吸収層（１１）の前方部分（６）において位置する。第１の吸収層（１１）の前方部分（６）は、第１の吸収層（１１）の長手方向の全長の２０％〜４０％を構成する。空間（１７）は、少なくとも狭い横断方向移行部（１４）の横方向外側の領域において、弾性部材（１６）と第１の吸収層（１１）との間の領域に位置する。
2015519157.tif 000002
【特許請求の範囲】
【請求項１】
長手方向側縁部（２，３）及び横断方向端縁部（４，５）を有する衛生ナプキン又は失禁パッドの形態の吸収物品であって、
前記吸収物品は、流体透過性の表面シート（８）と、流体不透過性の背面シート（９）と、前記表面シート（８）と前記背面シート（９）との間に位置する吸収コア（１０）と、を備え、
前記吸収コア（１０）は、長手方向前方部分（６）及び長手方向後方部分（７）を有する第１の吸収層（１１）であって、それを通じて延在する開口部（１２）を有し、前記第１の吸収層（１１）の前記長手方向前方部分（６）に位置した開口部（１２）の長手方向の長さの２０〜５０％を有する、第１の吸収層（１１）と、前記第１の吸収層（１１）と前記背面シート（９）との間に位置した流体流れ制御構造（１３）と、前記吸収物品（１）の各長手方向側縁部（２，３）に沿って配置された弾性部材（１６）と、を備える、吸収物品において、
狭い横断方向移行部（１４）が前記第１の吸収層（１１）の前記長手方向前方部分（６）と前記長手方向後方部分（７）との間に位置し、
前記狭い横断方向移行部（１４）の幅は、前記第１の吸収層（１１）の前記長手方向前方部分（６）の最も広い横断方向の幅の５０〜７５％であり、
前記第１の吸収層（１１）の前記長手方向前方部分（６）は、前記第１の吸収層（１１）の前記長手方向の全長の２０〜４０％を構成しており、
空間（１７）は、少なくとも前記狭い横断方向移行部（１４）の横方向外側の領域において、前記弾性部材（１６）と前記第１の吸収層（１１）との間の領域に位置することを特徴とする吸収物品。
【請求項２】
前記空間（１７）は、前記弾性部材（１６）の内側側縁部と、少なくとも１５ｍｍであり、４０ｍｍより小さい前記第１の吸収層（１１）の近位側縁部との間の最大横方向の長さを有する、請求項１に記載の吸収物品。
【請求項３】
前記弾性部材（１６）は、少なくとも前記第１の吸収層（１１）の前記長手方向前方部分（６）と前記長手方向後方部分（７）との間の前記狭い横断方向移行部（１４）の横方向外側で、前記衛生ナプキン（１）の各長手方向側縁部に沿って配置されている、請求項１又は２に記載の吸収物品。
【請求項４】
孔の長手方向の長さ及び前記第１の吸収層の前記長手方向後方部分における弾性部材の長手方向の長さは、２０〜５０％である、請求項１〜３のいずれか一項に記載の吸収物品。
【請求項５】
前記第１の吸収層（１１）の前記長手方向後方部分（７）における前記弾性部材（１６）の最大長手方向の長さは、前記開口部（１２）の長手方向の長さとされる、請求項１〜４のいずれか一項に記載の吸収物品。
【請求項６】
前記吸収物品は、スコップ形状を有する、請求項１〜５のいずれか一項に記載の吸収物品。
【請求項７】
前記弾性部材（１６）は、前記表面シート（８）と前記背面シート（９）との間に挟まれる、請求項１〜６のいずれか一項に記載の吸収物品。
【請求項８】
前記第１の吸収層（１１）における前記開口部（１２）の前記長手方向の長さは、前記第１の吸収層（１１）の前記長手方向の長さの２０％〜４０％とされる、請求項１〜７のいずれか一項に記載の吸収物品。
【請求項９】
前記狭い横断方向移行部（１４）の幅は、前記第１の吸収層（１１）の前記長手方向後方部分（７）の最も広い横断方向の幅の５０〜７５％とされる、請求項１〜８のいずれか一項に記載の吸収物品。
【請求項１０】
前記狭い横断方向移行部（１４）の幅は、前記第１の吸収層（１１）の前記長手方向前方部分（６）の最も広い横断方向の幅の５５〜７０％とされる、請求項１〜９のいずれか一項に記載の吸収物品。
【請求項１１】
前記狭い横断方向移行部（１４）の長手方向の長さは、前記第１の吸収層（１１）の前記長手方向の長さの５〜２０％とされる、請求項１〜１０のいずれか一項に記載の吸収物品。
【請求項１２】
第２の吸収層（１５）は、前記流体流れ制御構造（１３）と前記背面シート（９）との間に位置する、請求項１〜１１のいずれか一項に記載の吸収物品。
【請求項１３】
前記第２の吸収層（１５）は、前記第１の吸収層（１１）より小さな表面積を有する、請求項１２に記載の吸収物品。
【請求項１４】
前記表面シート（８）と前記背面シート（９）とは、前記第１の吸収層（１１）の横方向外側に一緒に延在する、請求項１〜１３のいずれか一項に記載の吸収物品。
【請求項１５】
前記第１の吸収層（１１）の前記長手方向前方部分（６）における前記開口部（１２）の横断方向寸法は、前記第１の吸収層（１１）の前記長手方向後方部分（７）における前記開口部（１２）の横断方向寸法より大きい、請求項１〜１４にいずれか一項に記載の吸収物品。
【発明の詳細な説明】
【技術分野】
【０００１】
本願発明は、それを通じて延在する開口部を有する吸収コアを備える衛生ナプキン又は失禁パッドなどの吸収物品に関する。
【背景技術】
【０００２】
通常の下着の内側に着用される種類の吸収物品は、成人失禁又は女性に対する使用のための吸収ナプキン又はパッドを含む。
【０００３】
ナプキン又はパッドには一般的に、体液を受容し且つ保持するために吸収コアが設けられる。そのような吸収物品が効率的に機能するために、吸収コアは、体液を適用ポイントからその構造内へ急速に捕獲しなければならない。その後、最大限の漏出封じ込めを提供するために、吸収コア内で又は吸収コアの至る所で体液を分散させなければならない。吸収コア及び吸収コアの開口部に接続された取得／分散層は、その局所的領域が以前の発作（ｉｎｓｕｌｔ）により液体ですでに満たされる傾向があるので、その後の発作が以前の発作と同一の局所的領域に向けられた場合に、援助する。
【０００４】
それらの種類の物品が下着の股部分で利用可能とされる限定された空間内に適合するように寸法決めされ、且つ構成されなければならないので、特定の問題は、物品の全吸収能力が利用される前にそれらが側縁部で漏出する可能性がある場合とされる。流体はその代わりに、表面シート上を流れ、その流体が漏出することができる物品の側縁部から外側へ流れ出て、着用者の衣類を汚すだろう。流体が表面シートの外側上で流れる場合におけるさらなる欠点は、身体と接触する表面シートの大部分が湿ってしまうことである。これは当然ながら、吸収物品を着用するのに非衛生で且つ不快にさせるので、非常に望ましくない。
【０００５】
多大な努力は、失禁用又は女性用ナプキン及びパッドに関連する側部漏出問題を克服するために従来より行われていた。
【０００６】
特許文献１は、吸収物品の所望の形状を得るために折り曲げ指示部及び形成要素を有する吸収コアを備える吸収物品を開示している。先行技術の設計が側部漏出問題をある程度まで緩和するけれども、下着の股部分に着用される種類の吸収物品のための側部漏出に対する安全性（ｓｉｄｅ  ｌｅａｋａｇｅ  ｓｅｃｕｒｉｔｙ）におけるさらなる改良の必要性が依然として存在する。
【先行技術文献】
【特許文献】
【０００７】
【特許文献１】国際公開第２００９／０６７０５９号パンフレット
【発明の概要】
【発明が解決しようとする課題】
【０００８】
本物品が有する上記の欠点を緩和する改良した解決方法を提供することが、本願発明の目的である。
【０００９】
本願発明は、請求項１に係る吸収物品であって、スコップ状の吸収物品の形態における新規で改善された形状を有し、改善された側部漏出に対する安全性に導く、吸収物品に関する。そのようなスコップ状の吸収物品は、吸収物品の全長に沿って改善された身体適合性を有する。吸収物品は、着用者の股の湾曲に追従するために湾曲した前方部分と、着用者の臀部との密接を可能にする略湾曲していない後方部分と、を有する。
【００１０】
それ故に、本願発明に係る衛生用ナプキン又は失禁パッドの形態である吸収物品は、長手方向側縁部及び横断方向端縁部を有し、流体透過性の表面シートと、流体不透過性の背面シートと、前記表面シートと前記背面シートとの間に位置する吸収コアとを備える。吸収コアは、長手方向前方部分と長手方向後方部分とを有する第１の吸収層を備え、この第１の吸収層はそれを通じて延在する開口部を有し、開口部の長手方向の長さの２０〜５０％が第１の吸収層の前方部分に位置する。流体流れ制御構造は、第１の吸収層と背面シートとの間に位置し、弾性部材は、吸収物品の各長手方向側縁部に沿って配置される。狭い横断方向移行部は、第１の吸収層の前方部分と後方部分との間に位置する。狭い横断方向移行部の幅は、第１の吸収層の前方部分の最も広い横断方向の幅の５０〜７５％とされる。第１の吸収層の前方部分は、第１の吸収層の長手方向の全長の２０〜４０％を構成する。空間は、少なくとも狭い横断方向移行部の横方向外側の領域において、弾性部材と第１の吸収層との間の領域に位置している。
【００１１】
空間は、吸収材料から実質的に自由とされてもよい。このことは、意図的に追加された吸収材料から解放されるが、製造工程からの振り落し（ｓｐｉｌｌ  ｆｒｏｍ）を含むことができることを本願明細書において意味する。
【００１２】
空間は、第１の吸収層の前方部分及び後方部分が実質的に直角の関係を形成することができるように、弾性部材の内側側縁部と少なくとも１５ｍｍであって４０ｍｍより小さい第１の吸収層の近位側縁部との間の最大横方向範囲を有してもよい。そのような角度は４５度〜９０度とされてもよい。
【００１３】
第１の吸収層の前方部分は、第１の吸収層の長手方向の全長の２０〜４０％を構成する。後方部分及びそれらの間の狭い横断方向移行部に対する第１の吸収層の前方部分の短い長手方向の長さから生じる吸収物品の非対称の形状は、着用者の股部における吸収物品の適合性及び吸収物品の漏出に対する安全性をさらに改善する。同時に発生する吸収物品の長い長手方向後方部分は、着用者の臀部の領域に位置した、吸収物品の後方で高容量及び漏出に対する安全性をさらに提供する。
【００１４】
複数の弾性部材は、衛生ナプキンの各長手方向側縁部に沿って配置される。少なくともそれらの弾性部材は、第１の吸収層の前方部分と後方部分との間の狭い横断方向移行部の横方向外側に配置されることができる。第１の吸収層の後方部分における孔及び弾性部材の長手方向の長さは、２０〜５０％とされてもよい。第１の吸収層の後方部分における弾性部材の最大長手方向の長さは実質的に、吸収物品の高められたスコップ形状を得るために、第１の吸収層の後方部分における開口部の長手方向の長さとされてもよい。
【００１５】
本願明細書で使用される「スコップ形状」との用語は、図６に例示されるように、本願発明の吸収物品の一般的な形状に言及する。これは、例えば４５度〜９０度の角度が付けられた関係を有している前方部分と後方部分とを有する物品を必然的に伴うことができる。吸収物品の前方部分は、角度が付けられた形状又は略ハーフカップ形状を有してもよく、吸収物品の後方部分は略平坦な形状を有してもよい。空間、弾性部材、及び第１の吸収層の特定の非対称な形状の組み合わせは、吸収物品の特徴的なスコップ形状を提供することを目的とし、それによって、着用者に対する吸収物品の改善した適合性に導き、それによって減少した側部漏出に導く。
【００１６】
狭い横断方向移行部の幅は、着用者の腱を超えて良好なホックを得るために、第１の吸収層の前方部分の最も広い横断方向の幅の５５〜７０％とされてもよい。狭い横断方向移行部の幅は、吸収物品の改善した適合を確実にするために、第１の吸収層の後方部分の最も広い横断方向の幅の５０〜７５％又は５５〜７０％とされてもよい。前方部分及び後方部分の最も広い横断方向の幅は、約７５ｍｍ〜約１７０ｍｍとされてもよい。狭い横断方向移行部の長手方向の長さは、吸収物品が適切な適合を有し、且つ使用中に適所に留まることをさらに確実にするために、第１の吸収層の長手方向の長さの５〜２０％とされてもよい。第１の吸収層の狭い横断方向移行部の幅は、着用者の腱の間に吸収物品の改善した適合のために、１３０ｍｍより小さく、且つ３０ｍｍより大きくなってもよく、あるいは、９０ｍｍより小さく、且つ５０ｍｍより大きくなってもよい。第１の吸収層の長手方向の長さは、約２３０ｍｍ〜約４００ｍｍとされてもよい。
【００１７】
第１の吸収層は、第１の吸収層を完全に貫通するように延在している少なくとも１つの開口部を有し、それによって、吸収物品におけるキャビティを形成する。開口部の長手方向の長さの２０〜５０％又は２０〜４０％は、吸収物品の湿潤ポイントに関して孔の適切な配置を確実にするために、第１の吸収層の前方部分に位置してもよい。第１の吸収層における開口部の長手方向の長さは、表面シートの外側ではなく、開口部内への流体流れを確実にするために、第１の吸収層の長手方向の長さの２０％〜４０％とされてもよい。第１の吸収層の前方部分において、開口部の横断方向の寸法は、孔を通じて流体流れ制御構造内にさらに流れる流体流入割合（ｆｌｕｉｄ  ｉｎｔａｋｅ  ｒａｔｅ）を改善するために、第１の吸収層の後方部分における開口部の横断方向の寸法より大きくてもよい。第１の吸収層は、漏出に対する安全性及び使用者のための改善した安心感の両方のための１つの開口部のみを有してもよい。
【００１８】
第２の吸収層は、吸収物品の吸収力をさらに増加させるために、流体流れ制御構造と背面シートとの間に位置することができる。第２の吸収層は、吸収物品のスコップ形状を高めるために、第１の吸収層より小さな表面積を有してもよい。第１の吸収層は、第２の吸収層より、吸収物品における前方及び後方にさらに延在してもよい。吸収物品は、１つ以上のさらなる吸収層を備えてもよい。
【００１９】
流体流れ制御部材は、第１の吸収層と背面シートとの間に配置されているが、第１の吸収層と第２の吸収層との間に配置されてもよい。第１の吸収層は、表面シートの下に、且つ表面シートと直接的に接触するように配置されてもよい。又は、代替的には、第１の吸収層は、組織層、取得層、又はさらなる吸収層などの１つ以上の介在構成要素を通じて表面シートと間接的に接触するように配置されてもよい。同様に、第２の吸収層は、流体流れ制御部材の下に直接的に配置され、且つ流体流れ制御部材及び背面シートと直接的に接触するように配置されてもよい。又は、第２の吸収層は、介在構成要素によってそれらの構成要素のうちの一方又は両方の構成要素と間接的に接触してもよい。流体流れ制御部材を第１の吸収層と第２の吸収層との間に配置することによって、吸収物品におけるチャネルを形成し、吸収物品の後方及び前方に流体を導く。流体流れ制御部材と吸収コアとの間の接触領域は増加しており、それは吸収物品における液体の分散及び迅速な吸収を容易にする。
【００２０】
吸収物品は、失禁パッド又は衛生ナプキンの形態とされる。または、吸収物品は、女性用又は失禁用とされてもよい。さらに、吸収物品は、全ての方向に完全に延在された場合に、細長く、略矩形状の形状を有してもよい。これに関連して、略矩形状は、例えば、吸収物品の角部が丸みを帯びているもの、又は吸収物品の縁部が完全に直線状ではない場合があるものを含むように意図される。吸収物品は、等しい長さを有するとともに、同じ方向に略延在する２つの長手方向側縁部を有してもよい。
【００２１】
吸収物品の表面シート及び背面シートは、吸収物品の周囲全体に沿って第１の吸収層の横方向外側に一緒に延在してもよく、漏出防止のために吸収コアの周囲の周りの縁継手において互いに接続されてもよい。表面シートは好ましくは、縁バリアを形成するために背面シートの一部を覆ってもよい。
【００２２】
表面シートは、その目的、すなわち柔らかさ及び液体通過性に適した任意の材料からなってもよい。表面シート材料の例は不織布材料、穿孔したプラスチックフィルム、プラスチックメッシュ又は織物メッシュ、及び、液体透過性発泡層とされてもよい。流体透過性の着用者に面する表面の異なる部分内において、異なる材料からなる表面シートなどの、２つ以上の表面シート材料からなるラミネートは採用されてもよい。
【００２３】
背面シートは、流体不透過性とされる。しかしながら、流体はっ水性（ｆｌｕｉｄ  ｒｅｐｅｌｌａｎｔ）のみとされる背面シートの材料は、比較的少ない量の尿が吸収されるように期待される例において特に使用されることができる。背面シートは、ポリエチレン又はポリプロピレン等の薄く、曲げやすく、流体不透過性のプラスチックフィルムとされてもよいが、流体不透過性の不織布材料、流体不透過性のフォーム、及び流体不透過性のラミネートも、本願発明の技術的範囲内で考慮される。背面シートは好ましくは通気可能であり、これは、空気及び水蒸気が背面シートを通過してもよいことを暗示している。さらに、背面シートは、不織布などの織物材料の衣類に面する外表面を有してもよい。
【００２４】
吸収コアは、第１の吸収層を備える。それは、１つの吸収層のみを備えてもよいが、第２の吸収層又はさらなる吸収層を備えてもよい。吸収コアは、任意の適切な吸収材料又は流体採取材料、例えば、セルロース羽毛立ちパルプ、フォーム、ハイロフト（ｈｉｇｈｌｏｆｔ）の１つ又は複数の層等から製造されてもよい。吸収コアは、超吸収ポリマー材料の繊維又は粒子を含んでもよい。これは、超吸収剤として一般に知られており、ハイドロゲルの形態で大量の流体を吸収し、且つ保持する能力を有する材料である。超吸収剤は、セルロース羽毛立ちパルプと混合されてもよく、及び／又は吸収コアにおけるポケット又は層内に配置されてもよい。繊維は、パルプ繊維とされてもよく、超吸収材料はポリアクリレートベースの粒子とされてもよい。吸収構造は４０％〜８０％の超吸収剤と６０％〜２０％のパルプ繊維を備えてもよい。吸収コアは、吸収コアの性質を改善するための構成要素をさらに組み込んでもよい。そのような構成要素のいくつかの例は、バインダー繊維、流体消散材料（ｆｌｕｉｄ−ｄｉｓｐｅｒｓｉｎｇ）、湿気指示器、流体取得材料などとされる。
【００２５】
吸収層は均質的構造とされてもよく、又はそれら自体において、同一の材料又は異なる材料の吸収ラミネート等の積層構造とされてもよい。吸収層は、均一の厚さとされてもよく、層の異なる部分においてその厚さを変更してもよい。同様に、坪量及び組成は吸収層内で変化してもよい。例として、吸収層は、吸収繊維及び／又は非吸収繊維と超吸収剤との混合であってもよい。この点において繊維に対する超吸収剤の割合は層内で変化してもよい。ヒンジとして作用する１つ又は複数の圧縮ラインは有利には、第１の吸収層において配置されることができ、そのような圧縮ラインは、吸収物品の折り畳みを容易にするために、比較的硬くなっていてもよい。
【００２６】
表面シートは好ましくは、第１の吸収層の開口部によって規定されたキャビティ内に延在し、且つ表面シートに面している流体流れ制御構造の表面に延在する。それによって、キャビティは表面シート材料と腹合わせになっており、吸収物品の身体に面する外側表面からアクセス可能である。キャビティ内に集められる流体の一部は、キャビティの壁を通じて第１の吸収層によって吸収されることができる。しかしながら、流体の大部分は、キャビティの底部を通じて流体流れ制御部材内へ、吸収物品内で下方向に流れ続け、それは流体流れ制御部材に沿って長手方向及び横方向に分散される。
【００２７】
流体流れ制御部材は矩形状とされてもよく、吸収コアの一部によって長手方向及び横方向において取り囲まれてもよい。流体流れ構造の他の形状及び構成はまた、使用されてもよい。しかしながら、これが吸収コアの広い領域への分散を容易にするので、流体流れ制御部材が吸収コアより小さな幅を有し、且つ吸収コアより短い場合に、一般的に有利である。
【００２８】
弾性部材は衛生ナプキンの各長手方向側縁部に沿って配置される。少なくともそれらの弾性部材は、吸収物品の形状をさらに改善するために、第１の吸収層の前方部分及び後方部分の間の狭い横断方向移行部の横方向外側に配置されてもよい。弾性部材は、表面シートと背面シートとの間に位置することができる。吸収物品は、第１の吸収層の各側縁部に沿って位置する空間を有する。この空間は、着用者に対する吸収物品の改善した適合に導く本願発明に係る特定の形状を得るために、吸収材料から実質的に自由である。この空間は、吸収物品の周囲に位置する弾性部材と第１の吸収層の周囲との間における領域において、第１の吸収層の狭い横断方向移行部に隣接して位置してもよい。
【００２９】
吸収物品は、一対の下着などのサポートパンツ衣類の内側に吸収物品を固定するための固定手段をさらに含んでもよい。固定手段は、剥離可能な保護層によって覆われてもよい。
【００３０】
本願発明は、包含された図面を参照して詳しく記載されるであろう。
【図面の簡単な説明】
【００３１】
【図１】本願発明による吸収物品の第１の吸収層及び流れ制御構造の平面図である。
【図２】図１におけるラインＩＩ−ＩＩに沿って切断された断面図である。
【図３】本願発明による吸収物品の一の実施形態の平面図である。
【図４】図３におけるラインＩＩ−ＩＩに沿って切断された断面図である。
【図５】図３の吸収物品の分解３次元図である。
【図６】本願発明による吸収物品の一の実施形態の側面図である。
【発明を実施するための形態】
【００３２】
本願発明は、例示的な実施形態によって以下により詳しく記載されるであろう。しかしながら、本願発明は、多くの異なる形態で実現されることができ、図面及びそれに対する説明に記載された実施形態に限定されるように解釈されるべきではない。
【００３３】
図３は、吸収物品１が着用される場合に、着用者の身体に向けて面するように意図される面から見た、失禁パッドの形態における吸収物品１を開示する。吸収物品１は、２つの長手方向側縁部２及び３を有する。これらの長手方向側縁部２及び３は等しい長さを有し、同じ方向に実質的に延在する。前方端縁部４及び後方端縁部５は、吸収物品１の両端で横断方向に延在する。後方端縁部５は、吸収物品１の使用中に後方に方向付けられるように意図され、前方端縁部４は着用者の腹部に向けて前方に面するように意図される。吸収物品１は流体透過性表面シート８と、流体不透過性背面シート９と、第１の吸収層１１及び流体流れ制御構造１３を有する吸収コア１０であって、図４に示されるように表面シート８と背面シート９との間に包含される吸収コア１０と、を備える。図３〜図５におけるコアは、流体流れ制御構造１３と背面シート９との間に位置する第２の吸収層１５を備える。吸収物品１の表面シート８及び背面シート９は、その周囲全体に沿って第１の吸収層１１の横方向外側に一緒に延在するように示され、吸収物品１の周囲の周りにおける縁継手で、互いに接続される。縁継手は、その技術分野において周知な任意の適切な方法で、例えば、接着剤、超音波接着、熱接着、スティッチ（ｓｔｉｔｃｈｉｎｇ）などによって形成されることができる。表面シート８及び背面シート９は、本願明細書に開示されるように、特定の目的のために、不織布材料又はフィルム材料などの任意の適切な材料からなってもよい。
【００３４】
弾性材料のバンド、例えば発泡弾性材のバンドなどの弾性部材１６は、表面シート８と背面シート９との間に配置され、第１の吸収層１の長手方向側縁部に沿って配置される。弾性材料は、狭い横断方向移行部１４の外側の領域に位置し、この横断方向移行部１４は、第１の吸収層１１の前方部分６と後方部分７との間に位置する。空間１７は、弾性部材１６と狭い横断方向移行部１４との間の領域に位置する。つまり、空間１７は、第１の吸収層１１の狭い横断方向移行部の横方向外側に位置する。空間１７は、吸収材料から実質的に自由である。その空間１７、弾性部材１６、及び第１の吸収層１１の特定の非対称な形状は、吸収物品の特徴的なスコップ形状を可能にし、減少した側部漏出に導く着用者に対する吸収物品の適合を改善する。弾性部材１６はそれ故に、第１の吸収層１１の前方部分６と後方部分７との間の角度が４５度〜９０度になるように配置される。
【００３５】
図１及び２は、それを通じて延在する開口部１２を有する第１の吸収層１１を示す。流体流れ制御構造１３は、第１の吸収層１１の下に位置する。第１の吸収層１１は、図１に見られるように、長手方向前方部分６と、長手方向後方部分７と、前方部分６と後方部分７との間に位置した狭い横断方向移行部１４と、を有する。狭い横断方向移行部１４の幅は、第１の吸収層１１の前方部分６の最も広い横断方向の幅の５０〜７５％であり、第１の吸収層の後方部分７の最も広い横断方向の幅の５０〜７５％であり、例えば６５ｍｍである。前方部分６及び後方部分７の最も広い横断方向の幅は、約７５ｍｍ〜約１７０ｍｍとされており、例えば１００ｍｍとされてもよい。狭い横断方向移行部１４の長手方向の長さは、第１の吸収層１１の長手方向の長さの５〜２０％である。第１の吸収層の前方部分は第１の吸収層の長手方向の長さの２０〜４０％である。第１の吸収層１１の長手方向の長さは、約２３０ｍｍ〜約４００ｍｍとされており、例えば３００ｍｍとされてもよい。
【００３６】
図３に示されるような吸収物品１は、全ての方向において完全に延在された場合に細長い略矩形形状を有する。例えば、この文脈における「実質的に」との用語は、失禁プロテクタ１の角部が丸みを帯びてもよいこと、又は失禁プロテクタ１の縁部が完全に直線状ではなくてもよいことを意味する。
【００３７】
吸収物品１は、一対の下着などのサポートパンツ衣類の内側に、吸収物品１の固定のための固定手段（図面に示していない）をさらに有することができる。固定手段は、背面シート９の衣類に対して面する表面に配置された、長手方向に延在する２つの感圧接着剤のバンドの形態とされてもよい。固定手段は、剥離可能な保護層によって覆われてもよい。保護層は、シリコン処理された紙又は不織布、又は当業者に周知である任意の他の剥離可能な材料とされてもよい。サポートパンツ衣類内に失禁プロテクタを配置する前に、保護層は接着剤を露出させるために、固定手段から取り外され、パンツ衣類に対する固定のために利用可能とされる。
【００３８】
固定手段は、本願発明に対するオプションとされ、所望される場合に省略されてもよい。接着剤の固定手段を使用する場合に、背面シートの全面被覆、１つ又は複数の長手方向接着剤バンド、横断方向バンド、点、円、湾曲、星等の任意の適切な接着剤パターンは、使用されてもよい。さらに、固定手段は、ホックタイプのファスナー、クリップ、ホック（ｐｒｅｓｓ  ｓｔｕｄｓ）等のメカニカルファスナーとされてもよい。または、固定手段は、摩擦コーティング又は連続気泡フォームなどの摩擦ファスナーとされてもよい。異なる種類のファスナーの組み合わせもまた、考えられる。
【００３９】
図３に示された吸収物品１の吸収コア１０は、第１の吸収層１１と第２の吸収層１５とを備える。これらの吸収層は、吸収繊維及び／又は非吸収繊維及び超吸収材料の混合物を備えることができる。流体流れ制御構造１３は、第１の吸収層１１と第２の吸収層１５との間に配置される。図３における吸収物品１において、第１の吸収層１１は表面シート８の下に配置され、表面シート８と直接的に接触する。
【００４０】
第２の吸収層１５は、略矩形状の形状を有するように示される。第２の吸収層１５は、第１の吸収層１１の下に配置される。第２の吸収層１５は、第１の吸収層１１が第２の吸収層１５を超えて吸収物品１における前方及び後方に延在するように、第１の吸収層１１よりやや小さい。これらの吸収層の寸法及び形状は、本願発明から逸脱せず、図面に示された寸法及び形状と異なってもよい。さらに、第２の吸収層１５は、本願発明による吸収物品１において省略されてもよい。又は、吸収物品１は、１つ以上のさらなる吸収層を備えてもよい。
【００４１】
第１の吸収層１１は、層１を通じて完全に延在する開口部１２を有する。第１の吸収層１１は、異なる形状及び構成の１つ又は複数の開口部１２を有してもよい。しかしながら、１つの細長い開口部１２は好まれる。開口部１２の長手方向の長さは、第１の吸収層の長手方向の長さの１０〜６０％である。開口部の長さは、例えば約１００ｍｍとされてもよい。開口部１２は、第１の吸収層１１の前方部分６におけるその長手方向の長さの２０〜５０％に位置する。第１の吸収層１１の前方部分６における開口部１２の横断方向の寸法は、第１の吸収層１１の後方部分７における開口部１２の横断方向の寸法より大きい。開口部１２は、吸収物品１の使用時に、女性の着用者の尿道及び膣口の下に直接的に配置されるであろう。吸収物品１に対して解放された体液は、開口部１２において直接的に収集されるであろう。そして、それらの体液は、吸収コア１０内に、且つ吸収コア１０の至る所でさらに分配されるまで、その中に一時的に保持される。
【００４２】
図４において、表面シート８は、第１の吸収層１１の開口部１２と流体流れ制御構造１３の表面シートに面する面とによって画定されたキャビティ内に入るように延在していない。しかし、好ましくは、そのように形成されてもよい。開口部１２内に収集された流体の一部は、開口部１２における第１の吸収層の壁を通じて第１の吸収層によって吸収されてもよい。しかしながら、流体の大部分は、吸収物品１の下方に、且つ流体流れ制御構造１３内に続くであろう。流体の大部分は、流体流れ制御構造１３に沿って長手方向且つ横方向に分散される。
【００４３】
流体流れ制御構造１３は、矩形状とされるように図１〜５に示されており、吸収層１１及び１５の部分によって長手方向及び横方向において取り囲まれる。それは、流体流れ制御構造１３が短い幅を有し、且つ流体流れ制御構造１３が吸収層１１及び１５より短くなる場合に、通常有利となる。
【００４４】
流体流れ制御構造１３は、第１の穿孔されたポリマー層と第２の穿孔されたポリマー層との間に挟まれた穿孔されていない繊維性ポリマー層からなる３層構造とされてもよい。
【００４５】
吸収物品１における構成要素は、組立用接着剤、熱接着、超音波接着等の従来の手段によって互いに接続されることができる。特別な接着手段によって互いに失禁プロテクタの内部構成要素を接着することは必要とされていない。それ故に、そのような構成要素が摩擦力によって一緒に保持されることは、十分とされてもよい。
【００４６】
図６は、本願発明による吸収物品１の例示的な実施形態の側面図である。第１の吸収層の前方部分６と後方部分７との間の狭い横断方向移行部１４及び層の非対称な形状は、着用者に対する吸収物品の改善した適合を提供する。そして、その適合は、空間１７及び弾性部材１６によってさらに高められる。
【符号の説明】
【００４７】
１  吸収物品
２、３  長手方向側縁部
４、５  横断方向端縁部
６  前方部分
７  後方部分
８  表面シート
９  背面シート
１０  吸収コア
１１  第１の吸収層
１２  開口部
１３  流体流れ制御構造
【図１】
2015519157.tif 000003
【図２】
2015519157.tif 000004
【図３】
2015519157.tif 000005
【図４】
2015519157.tif 000006
【図５】
2015519157.tif 000007
【図６】
2015519157.tif 000008
【国際調査報告】
2015519157.tif 000009
2015519157.tif 000010